(57)【要約】      （修正有）【課題】収容空間内に圧縮空気瓶が固定され、圧縮空気瓶の不意な脱落を防止できる弾倉を提供する。【解決手段】銃弾空間１１と収容空間１２とが設けられ、前記銃弾空間に銃弾が収容され、前記収容空間は、側面開口１２１と、上部１２２と、底部１２３と、を有し、前記収容空間の前記上部と前記底部の間に圧縮空気瓶１が配する。前記側面開口は、前記収容空間の側面から前記圧縮空気瓶を前記収容空間に入れるためのものである。更に、前記底部を貫通する貫通孔１３が設けられ、前記貫通孔の直径が前記圧縮空気瓶の最大直径よりも小さい本体１０と、前記貫通孔に螺着され、前記圧縮空気瓶を前記収容空間の前記上部へ緊迫するためのものである塞ぎ具２０と、を含む。【選択図】図１
0003167409.tif 000002
【実用新案登録請求の範囲】
【請求項１】
銃弾空間と収容空間とが設けられ、前記銃弾空間に銃弾が収容され、前記収容空間は、側面開口と、上部と、底部と、を有し、前記収容空間の前記上部と前記底部の間に圧縮空気瓶が配され、前記側面開口は、前記収容空間の側面から前記圧縮空気瓶を前記収容空間に入れるためのものであり、更に、前記底部を貫通する貫通孔が設けられ、前記貫通孔の直径が前記圧縮空気瓶の最大直径よりも小さい本体と、
前記貫通孔に螺着され、前記圧縮空気瓶を前記収容空間の前記上部へ緊迫するためのものである塞ぎ具と、
を含むことを特徴とする弾倉。
【請求項２】
前記塞ぎ具は、第１端と、前記第１端の反対側にある第２端と、を含み、前記第１端には、前記圧縮空気瓶を押付ける押付面が設けられ、前記第２端に駆動部が形成されることを特徴とする、請求項１に記載の弾倉。
【請求項３】
前記弾倉は、台座を更に含み、前記台座は前記本体にスライド方向に沿って摺動可能に設けられ、前記スライド方向は前記貫通孔の軸方向と平行せず、前記台座の少なくとも一部は前記駆動部の少なくとも一部を覆うことを特徴とする、請求項２に記載の弾倉。
【請求項４】
前記弾倉は、脱出防止ピンを更に含み、前記脱出防止ピンにより、前記台座は前記スライド方向に沿って前記本体に対して摺動できないことを特徴とする、請求項３に記載の弾倉。
【請求項５】
前記弾倉は、更に、弾性具と、銃弾押え具と、を含み、前記弾性具、前記銃弾押え具及び前記脱出防止ピンは、前記銃弾空間に摺動可能に設けられ、前記弾性具は、一端が前記銃弾押え具に押付け、他端が前記脱出防止ピンに押付け、前記弾性具の付勢により、前記脱出防止ピンは前記台座へ移動する傾向があることを特徴とする、請求項４に記載の弾倉。
【請求項６】
前記本体には、規制穴と、規制ロッドと、が設けられ、前記規制穴は、その軸方向が前記銃弾空間の縦方向と垂直し、前記銃弾空間と連通し、前記脱出防止ピンの横方向には、前記規制穴に対応する長形溝が設けられ、前記長形溝は、長形溝第１端と、長形溝第２端と、を有し、前記規制ロッドは、前記規制穴と前記長形溝とを挿通し、前記長形溝第１端、又は長形溝第２端に押付けることにより、前記脱出防止ピンのストロークを規制することを特徴とする、請求項５に記載の弾倉。
【請求項７】
前記弾倉は、更に、台座を含み、前記台座は前記本体にスライド方向に沿って摺動可能に設けられ、前記スライド方向は前記貫通孔の軸方向と平行せず、前記塞ぎ具はユーザが回転可能な駆動部を有し、前記台座の少なくとも一部は前記駆動部の少なくとも一部を覆うことを特徴とする、請求項１に記載の弾倉。
【請求項８】
前記弾倉は、更に、脱出防止ピンを含み、前記脱出防止ピンにより、前記台座は前記スライド方向に沿って前記本体に対して摺動できないことを特徴とする、請求項７に記載の弾倉。
【請求項９】
前記弾倉は、更に、弾性具と、銃弾押え具と、を含み、前記弾性具、前記銃弾押え具及び前記脱出防止ピンは、前記銃弾空間に摺動可能に設けられ、前記弾性具は、一端が前記銃弾押え具に押付け、他端が前記脱出防止ピンに押付け、前記弾性具の付勢により、前記脱出防止ピンは前記台座へ移動する傾向があることを特徴とする、請求項７に記載の弾倉。
【請求項１０】
前記本体には、規制穴と、規制ロッドと、が設けられ、前記規制穴は、その軸方向が前記銃弾空間の縦方向と垂直し、前記銃弾空間と連通し、前記脱出防止ピンの横方向には、前記規制穴に対応する長形溝が設けられ、前記長形溝は、長形溝第１端と、長形溝第２端と、を有し、前記規制ロッドは、前記規制穴と前記長形溝とを挿通し、前記長形溝第１端、又は長形溝第２端に押付けることにより、前記脱出防止ピンのストロークを規制することを特徴とする、請求項７に記載の弾倉。
【考案の詳細な説明】
【技術分野】
【０００１】
本考案は、弾倉に関し、特に、圧縮空気瓶が設けられる弾倉に関するものである。
【背景技術】
【０００２】
従来の空気銃は、銃弾を充填する弾倉を有し、圧縮空気源により銃弾を射出できる。
【０００３】
上記の圧縮空気源は、外部の空気源（例えば、エアコンプレッサー）でもよく、高圧な空気により銃弾を射出する。このような方式によれば、空気銃が持続に射撃でき、気圧が安定であるなどの長所を有するが、エアコンプレッサーを配することが必要であるため、機動性が良くない。
【０００４】
一方、上記の圧縮空気源は、内部の空気源（例えば、エアコンプレッサー）でもよい。圧縮空気源が内部の空気源を採用する方式は、空気銃に圧縮空気瓶を設けることにより、空気銃の利用の機動性を向上できる。従来の空気銃は、弾倉に圧縮空気瓶が設けられるものがあり、例えば、特許文献１の先行技術が提案された。このような空気銃は、特許文献１の図３及び図７に示すように、弾倉の底部に圧縮空気瓶が設けられる。しかし、このような構成によれば、空気銃の体積が増加し、空気銃の重心が大幅に変更して射撃の安定性が悪くなり、衝突により空気銃が脱落し易く、且つ空気銃から圧縮空気瓶を取外しているときに、残圧により圧縮空気瓶が下方に射出する虞がある。また、特許文献１に記載の空気銃は、その図１１に示すように、弾倉の側面の収容空間に圧縮空気瓶が設けられ、圧縮空気瓶の底部には、圧縮空気瓶を固定する弾性体が設けられるが、前記弾性体の弾力により圧縮空気瓶を強固に固定できないため、銃弾を充填しているときには、衝突により圧縮空気瓶が脱出し易く、又は横方向への外力の衝撃により弾倉が変位して脱落する可能性がある。
【先行技術文献】
【特許文献】
【０００５】
【特許文献１】台湾実用新案登録第Ｍ３５８２８９号公報
【考案の概要】
【考案が解決しようとする課題】
【０００６】
本考案の主な目的は、収容空間内に圧縮空気瓶が固定される弾倉を提供することにある。
【課題を解決するための手段】
【０００７】
本考案の弾倉によると、銃弾空間と収容空間とが設けられ、前記銃弾空間に銃弾が収容され、前記収容空間は、側面開口と、上部と、底部と、を有し、前記収容空間の前記上部と前記底部の間に圧縮空気瓶が配され、前記側面開口は、前記収容空間の側面から前記圧縮空気瓶を前記収容空間に入れるためのものであり、更に、前記底部を貫通する貫通孔が設けられ、前記貫通孔の直径が前記圧縮空気瓶の最大直径よりも小さい本体と、前記貫通孔に螺着され、前記圧縮空気瓶を前記収容空間の前記上部へ緊迫するためのものである塞ぎ具と、を含むことを特徴とする。
【０００８】
本考案の弾倉によると、前記塞ぎ具は、第１端と、前記第１端の反対側にある第２端と、を含み、前記第１端には、前記圧縮空気瓶を押付ける押付面が設けられ、前記第２端に駆動部が形成されることを特徴とする。
【０００９】
本考案の弾倉によると、更に、台座を含み、前記台座は前記本体にスライド方向に沿って摺動可能に設けられ、前記スライド方向は前記貫通孔の軸方向と平行せず、前記台座の少なくとも一部は前記駆動部の少なくとも一部を覆うことを特徴とする。
【００１０】
本考案の弾倉によると、更に、脱出防止ピンを含み、前記脱出防止ピンにより、前記台座は前記スライド方向に沿って前記本体に対して摺動できないことを特徴とする。
【００１１】
本考案の弾倉によると、更に、弾性具と、銃弾押え具と、を含み、前記弾性具、前記銃弾押え具及び前記脱出防止ピンは、前記銃弾空間に摺動可能に設けられ、前記弾性具は、一端が前記銃弾押え具に押付け、他端が前記脱出防止ピンに押付け、前記弾性具の付勢により、前記脱出防止ピンは前記台座へ移動する傾向があることを特徴とする。
【００１２】
本考案の弾倉によると、前記本体には、規制穴と、規制ロッドと、が設けられ、前記規制穴は、その軸方向が前記銃弾空間の縦方向と垂直し、前記銃弾空間と連通し、前記脱出防止ピンの横方向には、前記規制穴に対応する長形溝が設けられ、前記長形溝は、長形溝第１端と、長形溝第２端と、を有し、前記規制ロッドは、前記規制穴と前記長形溝とを挿通し、前記長形溝第１端、又は長形溝第２端に押付けることにより、前記脱出防止ピンのストロークを規制することを特徴とする。
【００１３】
本考案の弾倉によると、更に、台座を含み、前記台座は前記本体にスライド方向に沿って摺動可能に設けられ、前記スライド方向は前記貫通孔の軸方向と平行せず、前記塞ぎ具はユーザが回転可能な駆動部を有し、前記台座の少なくとも一部は前記駆動部の少なくとも一部を覆うことを特徴とする。
【００１４】
本考案の弾倉によると、更に、脱出防止ピンを含み、前記脱出防止ピンにより、前記台座は前記スライド方向に沿って前記本体に対して摺動できないことを特徴とする。
【００１５】
本考案の弾倉によると、更に、弾性具と、銃弾押え具と、を含み、前記弾性具、前記銃弾押え具及び前記脱出防止ピンは、前記銃弾空間に摺動可能に設けられ、前記弾性具は、一端が前記銃弾押え具に押付け、他端が前記脱出防止ピンに押付け、前記弾性具の付勢により、前記脱出防止ピンは前記台座へ移動する傾向があることを特徴とする。
【００１６】
本考案の弾倉によると、前記本体には、規制穴と、規制ロッドと、が設けられ、前記規制穴は、その軸方向が前記銃弾空間の縦方向と垂直し、前記銃弾空間と連通し、前記脱出防止ピンの横方向には、前記規制穴に対応する長形溝が設けられ、前記長形溝は、長形溝第１端と、長形溝第２端と、を有し、前記規制ロッドは、前記規制穴と前記長形溝とを挿通し、前記長形溝第１端、又は長形溝第２端に押付けることにより、前記脱出防止ピンのストロークを規制することを特徴とする。
【考案の効果】
【００１７】
本考案の弾倉によれば、塞ぎ具をねじ込むことにより圧縮空気瓶を緊迫することができ、塞ぎ具により圧縮空気瓶を緊迫して固定したと、塞ぎ具を緩めない限り、圧縮空気瓶が収容空間から脱出できないため、圧縮空気瓶の不意な脱落を防止できるという効果を有する。
【図面の簡単な説明】
【００１８】
【図１】本考案の一実施例の分解斜視図である。
【図２】本考案の一実施例の組合済み状態の斜視図である。
【図３】本考案の一実施例の組合済み状態の断面図である。
【図４】本考案の弾倉を組付け可能な空気銃の側面図である。
【図５】本考案の弾倉を組付け可能な空気銃の側面図であって、スライドスリーブが後ろ方にスライドされた場合を示す。
【考案を実施するための形態】
【実施例１】
【００１９】
以下、本考案の実施の形態を図面に基づいて説明する。
まず、図１乃至図３を参照する。本考案の実施例の弾倉は、本体１０と、塞ぎ具２０と、台座３０と、脱出防止ピン４０と、弾性具５０と、銃弾押え具６０と、規制ロッド７０と、を含む。
【００２０】
本体１０には、銃弾空間１１と、収容空間１２と、貫通孔１３と、剖開溝１４と、規制穴１６と、が設けられる。銃弾空間１１に銃弾が収容される。収容空間１２は、側面開口１２１と、上部１２２と、底部１２３と、を有する。収容空間１２の上部１２２と底部１２３の間に圧縮空気瓶１が配される。側面開口１２１は、収容空間１２の側面から圧縮空気瓶１を収容空間１２に入れるためのものである。収容空間１２に底部１２３を貫通する貫通孔１３が設けられ、貫通孔１３の直径が圧縮空気瓶１の最大直径よりも小さい。すなわち、圧縮空気瓶１は貫通孔１３を経由して収容空間１２から脱出できない。剖開溝１４は銃弾空間１１と連通する。銃弾空間１１と剖開溝１４とは下方開放端を有することが好ましい。規制穴１６の軸方向は銃弾空間１１の縦方向と垂直し、規制穴１６が銃弾空間１１と連通する。
【００２１】
塞ぎ具２０は、貫通孔１３に螺着され、圧縮空気瓶１を収容空間１２の上部１２２へ緊迫するためのものである。塞ぎ具２０は、第１端と、前記第１端の反対側にある第２端と、を含む。前記第１端には、圧縮空気瓶１を押付ける押付面２１が設けられ、押付面２１の輪郭が圧縮空気瓶１の底端の輪郭に合い、本実施例では、押付面２１が円弧凹面を呈する。前記第２端に駆動部２２が形成される。駆動部２２は、図面に示す多角柱、多角穴、又は皺が設けられたツマミである。そうすると、ユーザは、手で塞ぎ具２０を回転でき、又は工具によって塞ぎ具２０を回転できる。
【００２２】
台座３０は、本体１０にスライド方向に沿って摺動可能に設けられる。台座３０と本体１０とのうちの一つに少なくとも一つのレールが設けられ、残りに少なくとも一つのスライド溝が設けられる。例えば、本実施例では、台座３０が互いに平行する二つの固定アーム３１を有し、固定アーム３１の内側面にレール３２が形成され、本体１０の底部には、レール３２に対応するスライド溝１５が設けられる。射撃の過程中に塞ぎ具２０が徐々に緩められ、又は銃弾を充填する過程中に塞ぎ具２０がユーザに不意に引かれることを回避するために、前記スライド方向は貫通孔１３の軸方向に平行しない。なお、前記スライド方向が貫通孔１３の軸方向と垂直し、台座３０の少なくとも一部が駆動部２２の少なくとも一部を覆うことが好ましい。本実施例では、一対の固定アーム３１が駆動部２２の両側を挟む。もちろん、本考案の変形例では、台座が底板を含むことにより駆動部を全面的に覆ってもよい。一方、図３に示すように、台座３０には、更に、挿入穴３３が設けられる。
【００２３】
台座３０に脱出防止ピン４０を挿入する場合には、台座３０が前記スライド方向に沿って本体１０に対して摺動できない。脱出防止ピン４０の底端には、挿入穴３３に挿入可能なピン４１が設けられることが好ましい。銃弾押え具６０、弾性具５０及び脱出防止ピン４０は、銃弾空間１１の開放端から銃弾空間１１に順次に入れられる。銃弾押え具６０は、銃弾空間１１内の銃弾を銃弾空間１１の他端にある銃弾出口から銃の内腔に入れるためのものである。弾性具５０は、一端が銃弾押え具６０に押付け、他端が脱出防止ピン４０に押付け、弾性具５０の付勢により、銃弾押え具６０は銃弾空間１１の銃弾出口へ移動する傾向があり、脱出防止ピン４０は台座３０へ移動する傾向がある。これにより、ピン４１が挿入穴３３に自発的に挿入される。脱出防止ピン４０は、一側に規制穴１６に対応する長形溝４２が設けられ、他側に横方向に延びる突起４３が設けられる。突起４３は剖開溝１４にやや斜めに延び、これにより、ユーザが突起４３を弾くと、脱出防止ピン４０が変位する。長形溝４２は、長形溝第１端４２１と、長形溝第２端４２２と、を有する。規制ロッド７０は、規制穴１６と長形溝４２とを挿通し、長形溝第１端４２１、又は長形溝第２端４２２に押付けることにより、脱出防止ピン４０のストロークを規制する。これにより、脱出防止ピン４０が弾性具５０に押付けられて銃弾空間１１からの自発的な脱出を回避できる。
【００２４】
図４及び図５を参照する。本考案の弾倉は、空気銃２に結合して使用できる。これにより、圧縮空気瓶が空気銃２の外部に結合されて全体の重心がずれ、ユーザの操作を妨害することはなくなる。空気銃２のスライドスリーブ３は鋼製品であることが好ましい。そうすると、より良い反動を得ることができ、銃弾の自動充填がスムーズになる。
【００２５】
本考案は、塞ぎ具をねじ込むことにより圧縮空気瓶を収容空間内に安定に固定できるため、射撃中、または銃弾を充填する過程中に、圧縮空気瓶が緩めなくなり、そして圧縮空気瓶を交換しているときには、残圧による反力により圧縮空気瓶が噴出しても、圧縮空気瓶が収容空間の底部に止められ、且つ塞ぎ具を緩めているときには、圧縮空気瓶内の残圧が徐々に漏れるため、ユーザを怪我する虞がなく、安全性が極めて高い。一方、本考案は、台座の一部が塞ぎ具の駆動部を覆うため、塞ぎ具の不意な緩めを防止できる。更に、脱出防止ピンが台座に挿入されるときには、台座の離脱を防止できる。脱出防止ピンの操作が極めて便利であり、且つ規制ピンにより脱出防止ピンの銃弾空間からの不意な脱出を防止できる。
【００２６】
また、反動を増加するために、ボルトはスチール合金で作製されてもよい。そうすると、ボルトの剛性および重量が増加する。
【００２７】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２８】
本考案は、空気銃に適用することができる。
【符号の説明】
【００２９】
１：圧縮空気瓶
２：空気銃
３：スライドスリーブ
１０：本体
１１：銃弾空間
１２：収容空間
１３：貫通孔
１４：剖開溝
１５：スライド溝
１６：規制穴
２０：塞ぎ具
２１：押付面
２２：駆動部
３０：台座
３１：固定アーム
３２：レール
３３：挿入穴
４０：脱出防止ピン
４１：ピン
４２：長形溝
４３：突起
５０：弾性具
６０：銃弾押え具
７０：規制ロッド
１２１：側面開口
１２２：上部
１２３：底部
４２１：長形溝第１端
４２２：長形溝第２端
【図１】
0003167409.tif 000003
【図２】
0003167409.tif 000004
【図３】
0003167409.tif 000005
【図４】
0003167409.tif 000006
【図５】
0003167409.tif 000007